(57)【要約】【解決手段】線路に、複数個のガスアレスタＡ１〜Ａ５を直列接続して、ガスアレスタを逐次放電動作するアレスタ回路と、該ガスアレスタ回路の個々のガスアレスタの放電開始電圧と同等以上の動作電圧を有し、且つ、所定のガスアレスタに印加し放電動作をさせる複数個のバリスタＢ１〜Ｂ５からなるバリスタ回路とを配設するとともに、前記バリスタ回路のうち、線路間に、直に、バリスタを接続したものである。【効果】線路に印加したサージは、線路間に、直に接続されたバリスタに瞬時に吸収されて、低いバリスタ電圧となり、このバリスタ電圧で、直列接続のアレスタを放電動作するという、バリスタの動作とガスアレスタの放電動作の逐次繰り返しにより、最後的に、ガスアレスタのアーク電圧を線路電圧と同等以上にして、続流を防止することができる。【選択図】図１
2006136043.tif 000002
【特許請求の範囲】
【請求項１】
線路に、複数個のガスアレスタを直列接続して、ガスアレスタを逐次放電動作するアレスタ回路と、該ガスアレスタ回路の個々のガスアレスタの放電開始電圧と同等以上の動作電圧を有し、且つ、所定のガスアレスタに印加し放電動作をさせる複数個のバリスタからなるバリスタ回路とを配設するとともに、前記バリスタ回路のうち、線路間に、直に、バリスタを接続したことを特徴とするサージ吸収装置。
【請求項２】
線路に、複数個のガスアレスタを直列接続して、ガスアレスタを逐次放電動作するアレスタ回路と、一方の線路とガスアレスタ同士の接続点及び他方の線路とガスアレスタ同士の接続点とに、それぞれに、バリスタを接続してなるバリスタ回路とを配設するとともに、前記バリスタ回路のうち、線路間に、直に、バリスタを接続したことを特徴とするサージ吸収装置。
【請求項３】
線路に、複数個のガスアレスタを直列接続して、ガスアレスタを逐次放電動作するアレスタ回路と、一方の線路と他方の線路の間及び他方の線路とガスアレスタ同士の接続点とに、それぞれに、バリスタを接続してなるバリスタ回路とを配設するとともに、前記バリスタ回路のうち、線路間に、直に、バリスタを接続したことを特徴とするサージ吸収装置。
【発明の詳細な説明】
【技術分野】
【０００１】
本発明は、直流電源が重畳された電気回路のサージ吸収装置に関するものである。
【背景技術】
【０００２】
直流電源が重畳された電気回路のサージ吸収装置においては、線路に、ガスアレスタを用いたものがある。このようなガスアレスタを用いたサージ吸収装置においては、ガスアレスタの放電動作以上のサージ電圧が線路に加わると、ガスアレスタが放電動作してサージを吸収処理する。ガスアレスタが放電動作すると、放電動作中は、アーク放電の低い電圧となり、サージが消滅後は、電気回路に重畳された直流電源で放電を継続する、即ち、続流が生じるという問題があり、直流電源電圧と同等以上のアーク電圧とするように、アーク電圧の和の電圧を大きくして、複数個のガスアレスタを直列接続しているとともに、直列接続されたガスアレスタをコンデンサの分圧の電圧が、ガスアレスタに印加して放電動作し、逐次、コンデンサにサージが分圧されて、ガスアレスタを放電動作し、直列接続されたガスアレスタの全体を放電動作し、サージを吸収するようにしている。そして、ガスアレスタが放電動作して、サージを吸収し、続流を防止するサージ吸収装置が構成されている。
【０００３】
一例として、上述したサージ吸収装置が、特許文献１に開示されている。
【０００４】
【特許文献１】特開２００２−１０４８４号公報
【発明の開示】
【発明が解決しようとする課題】
【０００５】
上述した直列接続された複数個のガスアレスタと該ガスアレスタより１つ少ない数のコンデンサとからなるサージ吸収装置においては、ガスアレスタとコンデンサは、線路間に接続されたガスアレスタとコンデンサの直列接続回路であり、コンデンサに動作遅れがなく、且つ、コンデンサの分圧でガスアレスタを確実に放電動作しても、極めて急峻な雷サージが印加された場合には、ガスアレスタの放電動作遅れは解消できず、従って、高いサージ電圧が線路に印加され、接続機器等が損傷されるという問題があった。
【０００６】
また、当初設計以上のサージ電圧が印加した場合、コンデンサが損傷し、保安機能を著しく低下させるという問題があった。
【０００７】
本発明の目的は、上述した従来のサージ吸収装置が有する課題を解決し、サージを瞬時に吸収しながら、ガスアレスタの続流が生じないサージ吸収装置を提供することにある。
【課題を解決するための手段】
【０００８】
本発明は、上述した目的を達成するために、サージ吸収装置において、第１には、線路に、複数個のガスアレスタを直列接続して、ガスアレスタを逐次放電動作するアレスタ回路と、該ガスアレスタ回路の個々のガスアレスタの放電開始電圧と同等以上の動作電圧を有し、且つ、所定のガスアレスタに印加し放電動作をさせる複数個のバリスタからなるバリスタ回路とを配設するとともに、前記バリスタ回路のうち、線路間に、直に、バリスタを接続したものであり、第２には、線路に、複数個のガスアレスタを直列接続して、ガスアレスタを逐次放電動作するアレスタ回路と、一方の線路とガスアレスタ同士の接続点及び他方の線路とガスアレスタ同士の接続点とに、それぞれに、バリスタを接続してなるバリスタ回路とを配設するとともに、前記バリスタ回路のうち、線路間に、直に、バリスタを接続したものであり、第３には、線路に、複数個のガスアレスタを直列接続して、ガスアレスタを逐次放電動作するアレスタ回路と、一方の線路と他方の線路の間及び他方の線路とガスアレスタ同士の接続点とに、それぞれに、バリスタを接続してなるバリスタ回路とを配設するとともに、前記バリスタ回路のうち、線路間に、直に、バリスタを接続したものである。
【発明の効果】
【０００９】
本発明は、上述した構成を有しているので、以下に記載する効果を奏することができる。
【００１０】
本発明のサージ吸収装置においては、上述したように、線路に、複数個のガスアレスタを直列接続して、ガスアレスタを逐次放電動作するアレスタ回路と、該ガスアレスタ回路の個々のガスアレスタの放電開始電圧と同等以上の動作電圧を有し、且つ、所定のガスアレスタに印加し放電動作をさせる複数個のバリスタからなるバリスタ回路とを配設するとともに、前記バリスタ回路のうち、線路間に、直に、バリスタが接続されているので、線路に印加したサージは、線路間に、直に接続されたバリスタに瞬時に吸収されて、低いバリスタ電圧となり、このバリスタ電圧で、直列接続のアレスタを放電動作するという、バリスタの動作とガスアレスタの放電動作の逐次繰り返しにより、最後的に、ガスアレスタのアーク電圧を線路電圧と同等以上にして、続流を防止することができるとともに、サージ吸収の向上を図ることができる。
【００１１】
また、線路に、複数個のガスアレスタを直列接続して、ガスアレスタを逐次放電動作するアレスタ回路と、一方の線路とガスアレスタ同士の接続点及び他方の線路とガスアレスタ同士の接続点とに、それぞれに、バリスタを接続してなるバリスタ回路とを配設するとともに、前記バリスタ回路のうち、線路間に、直に、バリスタが接続されているので、線路に直に接続されたバリスタが、線路に印加したサージを瞬時に吸収して、低いバリスタ電圧にするとともに、このバリスタ電圧で直列接続されたガスアレスタを放電動作させるという、バリスタの動作とアレスタの放電動作の逐次繰り返しにより、最後的に、ガスアレスタのアーク電圧を線路電圧と同等以上にして、続流を防止することができるとともに、サージ吸収の向上を図ることができる。
【００１２】
更に、線路に、複数個のガスアレスタを直列接続して、ガスアレスタを逐次放電動作するアレスタ回路と、一方の線路と他方の線路の間及び他方の線路とガスアレスタ同士の接続点とに、それぞれに、バリスタを接続してなるバリスタ回路とを配設するとともに、前記バリスタ回路のうち、線路間に、直に、バリスタが接続されているので、線路に直に接続されたバリスタが、線路に印加したサージを瞬時に吸収して、低いバリスタ電圧にするとともに、このバリスタ電圧で直列接続されたガスアレスタを放電動作させるという、バリスタの動作とアレスタの放電動作の逐次繰り返しにより、最後的に、ガスアレスタのアーク電圧を線路電圧と同等以上にして、続流を防止することができるとともに、サージ吸収の向上を図ることができる。
【実施例】
【００１３】
以下に、本発明の実施例について、説明するが、本発明の趣旨を越えない限り実施例に限定されない。
【００１４】
図１において、１及び２は、線路端子であり、Ａ１及びＡ２は、ガスアレスタであり、また、Ｂ１及びＢ２は、バリスタである。そして、ガスアレスタＡ１の一方の電極とガスアレスタＡ２の一方の電極とを、接続点ａにおいて直列接続し、ガスアレスタＡ１、Ａ２とからなるガスアレスタ直列回路を構成するとともに、ガスアレスタＡ１の他方の電極を線路端子１に接続し、また、ガスアレスタＡ２の他方の電極を線路端子２に接続する。また、線路端子１と線路端子２との間に、バリスタＢ１を接続するとともに、ガスアレスタＡ１とガスアレスタＡ２との接続点ａと線路端子２との間に、バリスタＢ２を接続することにより、バリスタＢ１、Ｂ２とからなるバリスタ回路を構成する。このようにして、ガスアレスタＡ１、Ａ２とからなるガスアレスタ直列回路とバリスタＢ１、Ｂ２とからなるバリスタ回路とにより、サージ吸収装置Ｓ１が構成されている。なお、Ｆは、バリスタＢ１と線路端子１との間に接続されたヒューズであり、バリスタＢ１の短絡モードを開放モードにするものである。
【００１５】
次に、図２を用いて、サージ吸収装置の他の実施例について説明する。なお、図２において、図１と同一構成については、同一記号を付して説明する。
【００１６】
上述した実施例におけるガスアレスタＡ１、Ａ２に加えて、３個のガスアレスタＡ３、Ａ４、Ａ５が、それぞれ、直列に接続されて、ガスアレスタＡ１〜Ａ５からなるガスアレスタ直列回路が構成されている。また、Ｂ３、Ｂ４、Ｂ５は、上述した実施例におけるバリスタＢ１、Ｂ２に加えて、新たに配設されたバリスタである。
【００１７】
合計５個のガスアレスタＡ１〜Ａ５により、ガスアレスタ直列回路が構成されており、ガスアレスタ直列回路を構成する一方の端部に位置するガスアレスタＡ１の電極が線路端子１に接続され、また、ガスアレスタ直列回路を構成する他方の端部に位置するガスアレスタＡ５の電極が線路端子２に接続されている。また、上述した実施例と同様に、バリスタＢ１は、線路端子１と線路端子２との間に接続されている。なお、上述したように、ガスアレスタＡ１の一方の電極とガスアレスタＡ２の一方の電極との接続点を接続点ａとし、また、ガスアレスタＡ２の他方の電極とガスアレスタＡ３の一方の電極との接続点を接続点ｂとし、更に、ガスアレスタＡ３の他方の電極とガスアレスタＡ４の一方の電極との接続点を接続点ｃとし、更にまた、ガスアレスタＡ４の他方の電極とガスアレスタＡ５の一方の電極との接続点を接続点ｄとする。
【００１８】
上述した実施例と同様に、ガスアレスタＡ１とガスアレスタＡ２との接続点ａと線路端子２との間に、バリスタＢ２が接続され、また、ガスアレスタＡ２とガスアレスタＡ３との接続点ｂと線路端子２の間に、バリスタＢ３が接続され、更に、ガスアレスタＡ３とガスアレスタＡ４との接続点ｃと線路端子２の間に、バリスタＢ４が接続され、更にまた、ガスアレスタＡ４とガスアレスタＡ５との接続点ｄと線路端子２の間に、バリスタＢ５が接続され、このようにして、バリスタＢ１〜Ｂ５とからなるバリスタ回路が構成されている。なお、Ｆは、上述した実施例と同様のヒューズであり、バリスタＢ１の短絡モードを開放モードにするものである。
【００１９】
上述したガスアレスタＡ１〜Ａ５とからなるガスアレスタ直列回路とバリスタＢ１〜Ｂ５とからなるバリスタ回路とにより、サージ吸収装置Ｓ２が構成されている。
【００２０】
次に、図３を用いて、サージ吸収装置の更なる実施例について説明する。なお、図３において、図１と同一構成については、同一記号を付して説明する。
【００２１】
図１に示されている実施例においては、バリスタＢ１は、線路端子１と線路端子２との間に接続されているが、図３に示されている実施例においては、バリスタＢ１は、ガスアレスタＡ１とガスアレスタＡ２との接続点ａと線路端子１との間に接続されている。それ以外の構成は、図１に示されている実施例と同じである。このようにして、サージ吸収装置Ｓ３が構成されている。
【００２２】
次に、図４を用いて、サージ吸収装置の更に他の実施例について説明する。この実施例は、上述した図２に示されている実施例の変形例である。なお、図４において、図２と同一構成については、同一記号を付して説明する。
【００２３】
図２に示されている実施例においては、バリスタＢ１は、線路端子１と線路端子２との間に接続されているが、図４に示されている実施例においては、バリスタＢ１が、ガスアレスタＡ１の一方の電極とガスアレスタＡ２の一方の電極との接続点ａと線路端子１の間に接続されている。それ以外の構成は、図２に示されている実施例と同じである。このようにして、サージ吸収装置Ｓ４が構成されている。
【００２４】
次に、並設された一対の線路Ｌ間に直流電源が重畳されている電気回路に、上述したサージ吸収装置Ｓ１〜Ｓ４を配設されている図５を用いて、サージ吸収装置Ｓ１〜Ｓ４の動作について説明する。
【００２５】
先ず最初に、図１に示されているサージ吸収装置Ｓ１の動作について説明する。
【００２６】
いま、線路Ｌにサージが侵入すると、線路Ｌ、Ｌ間に配設されたサージ吸収装置Ｓ１を構成するバリスタＢ１が動作して、サージを吸収し、バリスタ電圧の低い電圧にする。次に、バリスタＢ１のバリスタ電圧で、ガスアレスタＡ１が放電動作し、ガスアレスタＡ１が放電動作すると、サージは、ガスアレスタＡ１を介して、バリスタＢ２を動作させる。すると、バリスタＢ２のバリスタ電圧で、ガスアレスタＡ２が放電動作し、サージは、ガスアレスタＡ１及びガスアレスタＡ２を通して処理される。また、ガスアレスタＡ１及びガスアレスタＡ２のアーク電圧は、１個の場合の２倍の電圧となり、サージの消滅した後は、電源電圧より高くに設定されるので、続流が防止されることになる。
【００２７】
次に、図２に示されているサージ吸収装置Ｓ２の動作について説明する。
【００２８】
いま、線路Ｌにサージが侵入すると、線路Ｌ、Ｌ間に配設されたサージ吸収装置Ｓ２を構成するバリスタＢ１〜Ｂ５のうち、バリスタＢ１が動作して、バリスタＢ１がサージを吸収し、線路Ｌを、バリスタ電圧の低い電圧にする。次に、バリスタＢ１のバリスタ電圧で、ガスアレスタＡ１が放電動作し、ガスアレスタＡ１が放電動作すると、サージは、ガスアレスタＡ１を介して流れ、バリスタＢ２を動作させる。すると、バリスタＢ２のバリスタ電圧で、ガスアレスタＡ２が放電動作し、サージは、ガスアレスタＡ２を介して流れ、バリスタＢ３を動作させる。すると、バリスタＢ３のバリスタ電圧で、ガスアレスタＡ３が放電動作し、サージは、ガスアレスタＡ３を介して流れ、バリスタＢ４を動作させる。すると、バリスタＢ４のバリスタ電圧で、ガスアレスタＡ４が放電動作し、サージは、ガスアレスタＡ４を介して流れ、バリスタＢ５を動作させる。すると、バリスタＢ５のバリスタ電圧で、ガスアレスタＡ５が放電動作し、サージは、ガスアレスタＡ５を介して流れ処理される。サージが印加中は、ガスアレスタＡ１〜Ａ５からなるガスアレスタ直列回路を介して、低い電圧の電流が流れ続けるが、サージの消滅後は、電源電圧より高いアーク電圧が設定されているので、続流が防止されることになる。
【００２９】
次に、図３に示されているサージ吸収装置Ｓ３の動作について説明する。
【００３０】
いま、線路Ｌにサージが侵入すると、線路Ｌ、Ｌ間に接続されたサージ吸収装置Ｓ３を構成するバリスタＢ１とバリスタＢ２とが動作して、サージを吸収し、線路Ｌを、バリスタ電圧の低い電圧にする。次に、バリスタＢ１のバリスタ電圧で、ガスアレスタＡ１が放電動作し、ガスアレスタＡ１が放電動作すると、サージはガスアレスタＡ１を介して流れ、バリスタＢ２を動作させる。すると、バリスタＢ２のバリスタ電圧で、ガスアレスタＡ２が放電動作し、サージは、ガスアレスタＡ１及びガスアレスタＡ２を介して流れ処理されることになる。また、ガスアレスタＡ１及びガスアレスタＡ２のアーク電圧は、１個の場合の２倍の電圧となり、サージの消滅した後は、電源電圧より高くに設定されるので、続流が防止されるとともに、接続機器等の損傷を防止することができる。
【００３１】
次に、図４に示されているサージ吸収装置Ｓ４の動作について説明する。
【００３２】
いま、線路Ｌにサージが侵入すると、線路Ｌ、Ｌ間に接続されたサージ吸収装置Ｓ４を構成するバリスタＢ１とバリスタＢ２とが動作して、サージを吸収し、線路Ｌを、バリスタ電圧の低い電圧にする。次に、バリスタＢ１のバリスタ電圧で、ガスアレスタＡ１が放電動作し、ガスアレスタＡ１が放電動作すると、サージはガスアレスタＡ１を介して流れ、バリスタＢ２を動作させる。すると、バリスタＢ２のバリスタ電圧で、ガスアレスタＡ２が放電動作し、サージは、ガスアレスタＡ２を介して流れ、バリスタＢ３を動作させる。すると、バリスタＢ３のバリスタ電圧で、ガスアレスタＡ３が放電動作し、サージは、ガスアレスタＡ３を介して流れ、バリスタＢ４を動作させる。すると、バリスタＢ４のバリスタ電圧でガスアレスタＡ４が放電動作し、サージは、ガスアレスタＡ４を介して流れ、バリスタＢ５を動作させる。すると、バリスタＢ５のバリスタ電圧で、ガスアレスタＡ５が放電動作し、線路Ｌに侵入したサージは、ガスアレスタＡ１からガスアレスタＡ５を介して流れ処理される。サージが印加中は、ガスアレスタ直列回路、即ち、ガスアレスタＡ１とガスアレスタＡ２とガスアレスタＡ３とガスアレスタＡ４とガスアレスタＡ５とを介して、低い電圧の電流が流れ処理されるが、サージの消滅後は、アーク電圧が、１個のアーク電圧のガスアレスタの個数分のアーク電圧となり、電源電圧より高いアーク電圧に設定されるので、続流は防止でき、サージは安全に処理できるとともに、接続機器等の損傷を防止することができる。
【００３３】
なお、図３に示されてるサージ吸収装置Ｓ３及び図４に示されてるサージ吸収装置Ｓ４は、線路端子１と線路端子２との間に接続されるバリスタが２個、即ち、バリスタＢ１とバリスタＢ２との接続となり、バリスタは２個の動作となることで、図１に示されてるサージ吸収装置Ｓ１及び図２に示されてるサージ吸収装置Ｓ２のバリスタが１個、即ち、バリスタＢ１の動作と比較して２倍のバリスタ電圧となるが、２倍のサージ電圧になっても、サージ吸収には何らの問題ではなく、また、接続機器等の損傷にもならない。
【００３４】
以下に、数値を交えて、本発明のより具体的な実施例について説明する。
【００３５】
図４に示されているサージ吸収装置Ｓ４を用いて、図６に示されているＶ−ｔ曲線を説明する。
【００３６】
ガスアレスタＡ１〜ガスアレスタＡ５の放電開始電圧を、それぞれ、９０ｖとする。また、バリスタＢ１〜バリスタＢ５のバリスタ電圧を、それぞれ、９０ｖとする。
【００３７】
いま、図６に示すサージ波形の雷サージＴｂが侵入すると、雷サージＴｂは、線路Ｌ、Ｌ間に配置されたバリスタＢ１とバリスタＢ２を通電して、雷サージＴｂをサージ電圧Ｖ１の低い電圧にする。このとき、バリスタＢ１の両端電圧は、９０ｖで、バリスタＢ２の両端電圧は、９０ｖ＋（４×（１５〜３０））ｖとなる。そして、バリスタＢ１の両端電圧で、ガスアレスタＡ１を放電動作し、雷サージＴｂは、線路端子１→ガスアレスタＡ１→バリスタＢ２→線路端子２で流れて、サージ電圧Ｖ２の低い電圧になる。
【００３８】
またこのとき、バリスタＢ２の両端電圧は、９０ｖ＋（４×（１５〜３０））ｖであり、この両端電圧が、ガスアレスタＡ１とガスアレスタＡ２との間の接続点ａと線路端子２の間に印加することになるが、ガスアレスタＡ２とバリスタＢ３との静電容量比により、電圧９０ｖ＋（４×（１５〜３０））ｖの殆どは、ガスアレスタＡ２に印加されて、ガスアレスタＡ２が放電動作する。すると、雷サージＴｂは、線路端子１→ガスアレスタＡ１→ガスアレスタＡ２→バリスタＢ３→線路端子２に流れて、サージ電圧Ｖ３の低い電圧になる。
【００３９】
更にこのとき、バリスタＢ３の両端電圧は、９０ｖ＋（３×（１５〜３０））ｖであり、この両端電圧が、ガスアレスタＡ２とガスアレスタＡ３との間の接続点ｂと線路端子２の間に印加することになるが、ガスアレスタＡ３とバリスタＢ４との静電容量比により、電圧９０ｖ＋（３×（１５〜３０））ｖの殆どは、ガスアレスタＡ３に印加されて、ガスアレスタアＡ３が放電動作する。すると、雷サージＴｂは、線路端子１→ガスアレスタＡ１→ガスアレスタＡ２→ガスアレスタＡ３→バリスタＢ４→線路端子２に流れ、サージ電圧Ｖ４の低い電圧になる。
【００４０】
更にまたこのとき、バリスタＢ４の両端電圧は、９０ｖ＋（２×（１５〜３０））ｖであり、この両端電圧が、ガスアレスタＡ３とガスアレスタＡ４との間の接続点ｃと線路端子２の間に印加することになるが、ガスアレスタＡ４とバリスタＢ５との静電容量比により、電圧９０ｖ＋（２×（１５〜３０））ｖの殆どは、ガスアレスタＡ４に印加されて、ガスアレスタＡ４が放電動作する。すると、雷サージＴｂは、線路端子１→ガスアレスタＡ１→ガスアレスタＡ２→ガスアレスタＡ３→ガスアレスタＡ４→バリスタＢ５→線路端子２に流れ、サージ電圧Ｖ５の低い電圧になる。
【００４１】
尚更にこのとき、バリスタＢ５の両端電圧は、９０ｖであり、この両端電圧が、ガスアレスタＡ４とガスアレスタＡ５との間のガスアレスタの接続点ｄと線路端子２の間に印加されて、ガスアレスタＡ５が放電動作する。すると、雷サージＴｂは、線路端子１→ガスアレスタＡ１→ガスアレスタＡ２→ガスアレスタＡ３→ガスアレスタＡ４→ガスアレスタＡ５→線路端子２と流れ、サージ電圧Ｖ６の低い電圧になる。
【００４２】
上述したように、ガスアレスタ直列回路が放電動作し、ガスアレスタのアーク電圧の和の低い電圧（図６のサージ電圧Ｖ６）にてサージを処理することで、サージ進入時は、瞬時にバリスタを動作して線路をバリスタ電圧にし、その後、ガスアレスタを放電動作させて、サージを処理したので、バリスタの動作遅れのない、ガスアレスタの大容量と、且つ、アーク電圧を任意にして、続流が生じない、サージ吸収装置を得ることができる。
【００４３】
なお、上述したサージ吸収装置Ｓ１〜Ｓ４には、ガスアレスタの個数が、２〜５個及びバリスタの個数が、同じく、２〜５個の場合が示されているが、ガスアレスタ及びバリスタの個数は、このような個数に限定されるものではなく、直流電源電圧とアーク電圧等より、任意に選択することができるものである。
【００４４】
また、サージ吸収装置は、線路と線路の間の設置だけでなく、線路とアース間にも設置してもよい。
【図面の簡単な説明】
【００４５】
【図１】図１は、本発明のサージ吸収装置の回路構成図であり、特に、ガスアレスタとバリスタの各２個を用いて構成したサージ吸収装置である。
【図２】図２は、本発明のサージ吸収装置の別の実施例の回路構成図であり、特に、ガスアレスタとバリスタの各５個を用いて構成したサージ吸収装置である。
【図３】図３は、本発明のサージ吸収装置の更に別の実施例の回路構成図であり、特に、ガスアレスタとバリスタの各２個を用いて構成したサージ吸収装置である。
【図４】図４は、本発明のサージ吸収装置の尚更に別の実施例の回路構成図であり、特に、ガスアレスタとバリスタの各５個を用いて構成したサージ吸収装置である。
【図５】図５は、直流電源が重畳された電気回路に接続されたサージ吸収装置の回路図である。
【図６】図６は、サージ吸収装置がサージを吸収する状態を説明するＶ−ｔ特性図であり、縦軸がサージ電圧（Ｖ）であり、横軸が時間（ｔ）である。
【符号の説明】
【００４６】
Ｓ１〜Ｓ４・・・・・・・・・サージ吸収装置
１、２・・・・・・・・・・・線路端子
Ａ１〜Ａ５・・・・・・・・・ガスアレスタ
Ｂ１〜Ｂ５・・・・・・・・・バリスタ
【図１】
2006136043.tif 000003
【図２】
2006136043.tif 000004
【図３】
2006136043.tif 000005
【図４】
2006136043.tif 000006
【図５】
2006136043.tif 000007
【図６】
2006136043.tif 000008